(57)【要約】【課題】保管庫において薬剤を散布する際に、簡易な構成で保管庫の内部の収納体への薬剤散布を高精度かつ均一に行うことが可能となる、薬剤散布構造、薬剤散布方法、及び、薬剤の拡散防止板を提供する。【解決手段】本発明に係る薬剤散布方法においては、筐体１２の内部にラック１３・１３・・・を介して複数収納された電池保管用パレットＰ１・Ｐ２・・・に、散布ノズル１４から噴射された消火薬剤を散布する構成であって、電池保管庫１１は散布ノズル１４とラック１３・１３・・・の最上部との間に、２枚の有孔板を水平方向に向けて上下に重ねられ、孔径の大きな下側パンチングメタル２５の上側に、孔径の小さな上側メッシュ板２３を重ねて構成された拡散防止板２１を備え、散布ノズル１４から噴射した消火薬剤を、拡散防止板２１の前記孔を透過して滴下させる。【選択図】図１
2010284435.tif 000002
【特許請求の範囲】
【請求項１】
筐体と、前記筐体の内部に水平方向に向けて形成され上下に並設される複数のラックと、前記筐体の内部における前記複数のラックよりも上方に配設され、薬剤を放射状に噴射する散布ノズルと、を備える保管庫において、前記筐体の内部に前記ラックを介して複数収納された収納体に、前記散布ノズルから噴射された薬剤を散布する、薬剤散布構造であって、
前記保管庫は、前記散布ノズルと前記ラックの最上部との間に拡散防止板を備え、
前記拡散防止板は、前記散布ノズルから噴射される薬剤が透過可能な複数の孔が開口された平板状に形成される、
ことを特徴とする、薬剤散布構造。
【請求項２】
前記拡散防止板は、複数の有孔板を水平方向に向けて上下に重ねて構成され、
前記上側の有孔板の孔径は、前記下側の有孔板の孔径よりも小さく形成される、
ことを特徴とする、請求項１に記載の薬剤散布構造。
【請求項３】
前記収納体は電池を配列した電池保管用パレットであって、
前記薬剤は消火薬剤であって、
前記保管庫は電池保管庫である、
ことを特徴とする、請求項１又は請求項２に記載の薬剤散布構造。
【請求項４】
筐体と、前記筐体の内部に水平方向に向けて形成され上下に並設される複数のラックと、前記筐体の内部における前記複数のラックよりも上方に配設され、薬剤を放射状に噴射する散布ノズルと、を備える保管庫において、前記筐体の内部に前記ラックを介して複数収納された収納体に、前記散布ノズルから噴射された薬剤を散布する、薬剤散布方法であって、
前記保管庫は、前記散布ノズルと前記ラックの最上部との間に、複数の孔を開口した平板状の拡散防止板を備え、
前記拡散防止板は複数の有孔板を水平方向に向けて上下に重ねて構成するとともに、前記上側の有孔板の孔径は前記下側の有孔板の孔径よりも小さく形成し、
前記散布ノズルから噴射した薬剤を、前記拡散防止板の前記孔を透過して滴下させる、
ことを特徴とする、薬剤散布方法。
【請求項５】
前記収納体は電池を配列した電池保管用パレットであって、
前記薬剤は消火薬剤であって、
前記保管庫は電池保管庫である、
ことを特徴とする、請求項４に記載の薬剤散布方法。
【請求項６】
複数の孔が開口された平板状の有孔板を水平方向に配置した状態で上下に複数枚重ねて構成し、
前記上側の有孔板の孔径は、前記下側の有孔板の孔径よりも小さく形成し、
上方から噴射される薬剤が前記孔を透過して下方に滴下する、
ことを特徴とする、薬剤の拡散防止板。
【発明の詳細な説明】
【技術分野】
【０００１】
本発明は、薬剤散布構造、薬剤散布方法、及び、薬剤の拡散防止板に関し、より詳しくは、保管庫において薬剤を散布する際の散布精度を向上させる技術に関する。
【背景技術】
【０００２】
従来、保管庫の内部に、水平方向に向けて形成した複数のラックを上下に並べて配置し、前記保管庫の内部に前記ラックを介して複数収納された収納体に対して薬剤を散布する技術が提案されている。
また、リチウムイオン電池のような二次電池の生産においては、該二次電池を電池保管用パレットに配列して電池保管庫で保管し、充放電させたり高温で放置したりする工程が必要となる。前記二次電池には電解液に有機溶媒が用いられるため雰囲気温度によっては発火するおそれがあり、前記電池保管庫内で万が一火災が発生した場合には迅速に消火を行う必要があることから、前記電池保管用パレットに精度良く消火薬剤を散布する技術が提案されている（例えば、特許文献１）。
【０００３】
前記特許文献１によれば、保管庫（チャンバ空間）の内部に、消化剤を噴射させる噴射孔を長手方向に沿って多数個開設された長尺パイプ状のノズルを、充放電治具群の最上段から最下段まで上下に連続して配設する技術が開示されている。
また、保管庫の内側上面に、薬剤を放射状に噴射する散布ノズルを配設し、該散布ノズルから薬剤を散布する技術も用いられている。
【先行技術文献】
【特許文献】
【０００４】
【特許文献１】特開２００３−１９０３１２号公報
【発明の概要】
【発明が解決しようとする課題】
【０００５】
しかし、前記特許文献１に記載の技術によれば、多数の保管庫で電池を保管する場合は、全ての保管庫において前記の長尺パイプ状ノズルを配設する必要があり、設備コストの増大に繋がることから、実際に採用することは困難であった。
【０００６】
また、保管庫の内側上面に配設した散布ノズルから薬剤を散布する技術については、前記保管庫の内部において、前記収納体が収容される上下位置によって、薬剤の散布効率が異なるという問題があった。
具体的には、散布ノズルは薬剤を放射状に噴射するため、保管庫内に収容される収納体の散布ノズルからの距離が長くなると散布面積が増えるのに対して、単位面積あたりの薬剤量が減少するのである。即ち、図５（ａ）に示すように、上段に収納されたパレットＡへの薬剤散布量が適量となるように散布ノズルの放射角度を調節して薬剤を散布すると、薬剤の大部分が保管庫の左右内側面に噴射されることとなるため、下段に収納されたパレットＢに散布される薬剤の量がパレットＡに散布される薬剤の量と比較して少なくなり、適切な薬剤散布量が得られなくなるのである。
一方、保管庫内に収容される収納体の散布ノズルからの距離が短い場合は、散布ノズルからの距離を長くとった場合に比べて散布面積が減少するのである。即ち、図５（ｂ）に示すように、下段に収納されたパレットＢへの薬剤散布量が適量となるように散布ノズルの放射角度を調節して薬剤を散布すると、上段に収納されたパレットＡに散布される薬剤の面積がパレットＢに散布される薬剤の面積と比較して減少してしまうのである。
つまり、保管個内における収納体が収納される上下位置によって、散布ノズルから噴射される薬剤の量及び面積が異なるという問題があったのである。
【０００７】
上記の如く、薬剤散布量及び薬剤散布面積が適切に確保できない場合は散布不良となってしまうという問題があった。特に電池保管庫における消火設備の場合は、散布効果である防災効果が適切に得られなくなるため、消火薬剤を電池保管庫内に均一に散布する必要性が高かったのである。
一方、上側から下側までの全てのパレットに充分な分量の薬剤を散布しようとすると、過剰に薬剤を噴射する必要が生じ、薬剤を無駄に消費することとなっていた。またこの場合は、余分な薬剤が保管庫の外に飛散する可能性があり、目的外の場所に薬剤がかかってしまうという問題があった。
【０００８】
そこで本発明では、上記現状に鑑み、簡易な構成のためコスト増に繋がらず、保管庫の内部の収納体への薬剤散布を高精度かつ均一に行うことが可能となる、薬剤散布構造、薬剤散布方法、及び、薬剤の拡散防止板を提供するものである。
【課題を解決するための手段】
【０００９】
本発明の解決しようとする課題は以上の如くであり、次にこの課題を解決するための手段を説明する。
【００１０】
即ち、請求項１においては、筐体と、前記筐体の内部に水平方向に向けて形成され上下に並設される複数のラックと、前記筐体の内部における前記複数のラックよりも上方に配設され、薬剤を放射状に噴射する散布ノズルと、を備える保管庫において、前記筐体の内部に前記ラックを介して複数収納された収納体に、前記散布ノズルから噴射された薬剤を散布する、薬剤散布構造であって、前記保管庫は、前記散布ノズルと前記ラックの最上部との間に拡散防止板を備え、前記拡散防止板は、前記散布ノズルから噴射される薬剤が透過可能な複数の孔が開口された平板状に形成されるものである。
【００１１】
請求項２においては、前記拡散防止板は、複数の有孔板を水平方向に向けて上下に重ねて構成され、前記上側の有孔板の孔径は、前記下側の有孔板の孔径よりも小さく形成されるものである。
【００１２】
請求項３においては、前記収納体は電池を配列した電池保管用パレットであって、前記薬剤は消火薬剤であって、前記保管庫は電池保管庫であるものである。
【００１３】
請求項４においては、筐体と、前記筐体の内部に水平方向に向けて形成され上下に並設される複数のラックと、前記筐体の内部における前記複数のラックよりも上方に配設され、薬剤を放射状に噴射する散布ノズルと、を備える保管庫において、前記筐体の内部に前記ラックを介して複数収納された収納体に、前記散布ノズルから噴射された薬剤を散布する、薬剤散布方法であって、前記保管庫は、前記散布ノズルと前記ラックの最上部との間に、複数の孔を開口した平板状の拡散防止板を備え、前記拡散防止板は複数の有孔板を水平方向に向けて上下に重ねて構成するとともに、前記上側の有孔板の孔径は前記下側の有孔板の孔径よりも小さく形成し、前記散布ノズルから噴射した薬剤を、前記拡散防止板の前記孔を透過して滴下させるものである。
【００１４】
請求項５においては、前記収納体は電池を配列した電池保管用パレットであって、前記薬剤は消火薬剤であって、前記保管庫は電池保管庫であるものである。
【００１５】
請求項６においては、複数の孔が開口された平板状の有孔板を水平方向に配置した状態で上下に複数枚重ねて構成し、前記上側の有孔板の孔径は、前記下側の有孔板の孔径よりも小さく形成し、上方から噴射される薬剤が前記孔を透過して下方に滴下するものである。
【発明の効果】
【００１６】
本発明の効果として、以下に示すような効果を奏する。
【００１７】
本発明により、保管庫において薬剤を散布する際に、簡易な構成で保管庫の内部の収納体への薬剤散布を高精度かつ均一に行うことが可能となる。
【図面の簡単な説明】
【００１８】
【図１】本発明に係る薬剤散布構造を示した概略図。
【図２】拡散防止板の構成を示した図。
【図３】拡散防止板における薬剤の透過状態を示した断面図。
【図４】各条件下における実験結果を示した線図。
【図５】（ａ）、（ｂ）はそれぞれ従来技術に係る薬剤散布構造を示した概略図。
【発明を実施するための形態】
【００１９】
次に、発明の実施の形態を説明する。
なお、本発明の技術的範囲は以下の実施例に限定されるものではなく、本明細書及び図面に記載した事項から明らかになる本発明が真に意図する技術的思想の範囲全体に、広く及ぶものである。
【００２０】
［薬剤散布構造］
まず始めに、本発明に係る薬剤散布構造について、図１を用いて説明をする。なお、本明細書においては、図１における上側を上方、下側を下方とし、同じく図１における右側を右側方、左側を左側方とし、同じく図１における紙面手前側を前方、奥行側を後方として説明する。
【００２１】
図１に示す如く、本発明に係る薬剤散布構造は、筐体１２と、前記筐体１２の内側面に水平方向に向けて形成され、上下に並べて配置される複数のラック１３・１３・・・と、前記筐体１２の内部における複数のラック１３・１３・・・よりも上方（例えば筐体１２の内側上面）に配設され、消火薬剤を放射状に噴射する散布ノズル１４と、を備える電池保管庫１１におけるものである。
【００２２】
具体的には、前後方向長さと左右方向長さが略同程度に形成され、上下方向長さが前後方向及び左右方向よりも長く形成された筐体１２が、図１に示すように長手方向を上下に向けて配置される。
そして、前記筐体１２の左右内側面には、前後水平方向に向けて形成される複数のラック１３・１３・・・が上下に並べられており、例えばリチウムイオン電池のような二次電池を配列した複数の電池保管用パレットＰ１・Ｐ２・・・をそれぞれラック１３・１３・・・に載置することで、筐体１２の内部に複数の電池保管用パレットＰ１・Ｐ２・・・を収容可能に構成されている。
【００２３】
本実施形態においては、前記ラック１３・１３・・・は上下に６段形成されている構成について説明するが、その段数は本実施形態に限定されるものではなく、前記電池保管用パレットＰ１・Ｐ２・・・の形状、大きさによって適宜変更することができる。換言すれば、前記ラック１３・１３・・・が形成される段数に応じて、電池保管用パレットＰ１・Ｐ２・・・の保管可能な個数が規定されるのである。また、前記ラック１３・１３・・・が形成される面は筐体１２の左右内側面に限らず、前後内側面等、筐体１２の内部における他の箇所に形成する構成にすることも可能である。
【００２４】
また、前記筐体１２の内側上面の略中央部には、消火薬剤を放射状に噴射する散布ノズル１４が配設されており、前記筐体１２の外部に配設される図示しない薬剤供給管と連通されている。そして、前記電池保管庫１１において火災が発生した場合のように、消火薬剤を散布する必要が生じたときは、前記薬剤供給管から供給される消火薬剤を電池保管庫１１に散布するように構成されているのである。
【００２５】
即ち、本発明に係る薬剤散布構造は、前記電池保管庫１１において、前記筐体１２の内部に前記ラック１３・１３・・・を介して複数収納された電池保管用パレットＰ１・Ｐ２に、前記散布ノズル１４から噴射された消火薬剤を散布するように構成されているのである。
【００２６】
なお、本明細書においては、電池保管庫１１に電池保管用パレットＰ１・Ｐ２が収納され、散布ノズル１４で消火薬剤を散布する構成について説明するが、本発明は本実施形態に限定されるものではなく、保管庫に収納体が収納され、該収納体に薬剤を散布する全般的な構成に対して適用することが可能である。
【００２７】
［拡散防止板２１］
さらに、前記電池保管庫１１は、図１に示す如く前記散布ノズル１４と前記ラック１３・１３・・・の最上部との間に拡散防止板２１を備える。そして、該拡散防止板２１は、前記散布ノズル１４から噴射される消火薬剤が透過可能な複数の孔が開口された平板状に形成されている。
即ち、本発明に係る薬剤散布構造は、前記電池保管庫１１において、前記散布ノズル１４から噴射された消火薬剤を前記拡散防止板２１に噴射し、前記消火薬剤が該拡散防止板２１に開口された複数の孔を透過して滴下することにより、電池保管用パレットＰ１・Ｐ２に消火薬剤を散布するように構成されているのである。
【００２８】
換言すれば、本発明に係る薬剤散布方法においては、筐体１２と、前記筐体１２の内側面に水平方向に向けて形成され上下に並設される複数のラック１３・１３・・・と、前記筐体１２の内部における複数のラック１３・１３・・・よりも上方に配設され、消火薬剤を放射状に噴射する散布ノズル１４と、を備える電池保管庫１１において、前記筐体１２の内部に前記ラック１３・１３・・・を介して複数収納された電池保管用パレットＰ１・Ｐ２・・・に、前記散布ノズル１４から噴射された消火薬剤を散布する。そして、前記電池保管庫１１は、前記散布ノズル１４と前記ラック１３・１３・・・の最上部との間に、複数の孔を開口した平板状の拡散防止板２１を備え、前記散布ノズル１４から噴射した消火薬剤を、前記拡散防止板２１の前記孔を透過して滴下させるのである。
【００２９】
上記の如く構成することにより、前記電池保管庫１１の内部において、前記電池保管用パレットＰ１・Ｐ２・・・が収容される上下位置に関わらず、消火薬剤の散布効率を均一にすることができる。
即ち、散布ノズル１４が消火薬剤を放射状に噴射しても、図１に示す如く消火薬剤は一旦拡散防止板２１に噴射され、該拡散防止板２１に開口された孔を透過して下側に滴下する。このため、電池保管用パレットＰ１・Ｐ２・・・が上側・下側のどこに収納されていても、同じ面積に適切な消火薬剤散布量を確保することができるのである。即ち、一旦拡散防止板２１に噴射され、透過した消火薬剤は、上下方向に同じ幅で筐体１２の内部を通過するため、電池保管用パレットＰ１・Ｐ２・・・が収容される上下位置が異なっても、消火薬剤の量及び面積を一定に保つことができるのである。これにより、簡易な構成のためコスト増に繋がらず、電池保管庫１１の内部の電池保管用パレットＰ１・Ｐ２・・・への消火薬剤の散布を高精度かつ均一に行うことが可能となるのである。
【００３０】
前記拡散防止板２１の構成について、図２、図３を用いてより具体的に説明する。
前記拡散防止板２１は、鉄やアルミニウム等の金属からなる２枚の有孔板を水平方向に向けて配置した状態で上下に重ねて構成される。詳細には、図２に示すように、平面視において略同形状である上側メッシュ板２３と、下側パンチングメタル２５とを上下に重ねるのである。
ここで、前記上側メッシュ板２３の孔径は、前記下側パンチングメタル２５の孔径よりも小さく形成されている。換言すれば、前記拡散防止板２１は図２に示す如く、孔径の大きな下側パンチングメタル２５の上側に、孔径の小さな上側メッシュ板２３を重ねて構成されているのである。
【００３１】
なお、本明細書においては、前記拡散防止板２１は２枚の有孔板で構成する場合について説明するが、本発明は本実施形態に限定されるものではなく、上側の有孔板の孔径が、前記下側の有孔板の孔径よりも小さく形成されるものであればよく、即ち前記拡散防止板２１は１枚又は３枚以上の有孔板で構成することも可能である。
【００３２】
そして、図３に示す如く、消火薬剤はまず散布ノズル１４から上側メッシュ板２３の上面に噴射される。そして、該上側メッシュ板２３に開口された孔２３ａ、及び下側パンチングメタル２５に開口された孔２５ａを順に透過して下側に滴下されるのである。
【００３３】
上記の如く構成することにより、前記消火薬剤の拡散防止板２１における透過性、滴下性を向上させることができる。
詳細には、上側メッシュ板２３だけで拡散防止板を構成した場合は消火薬剤の表面張力によって透過性が悪くなるため、下側パンチングメタル２５との接触界面における表面張力（いわゆる「濡れ性」）を利用して上側メッシュ板２３において消火薬剤を透過しやすくさせているのである。つまり、消火薬剤は自己の表面張力によって前記下側パンチングメタル２５の表面上に広がり、前記孔２５ａをつたって透過し、下側に滴下するのである。また、前記下側パンチングメタル２５において孔２５ａが大きく形成されていることから、消火薬剤が表面張力によって集まりやすくなり、大きな水滴で滴下させることができるのである。
一方、下側パンチングメタル２５だけで拡散防止板を構成した場合は空気を巻き込んで発泡しやすく、消火薬剤の均一な散布ができなくなるため、上側メッシュ板２３によって空気の巻き込みを防止し、発泡を防いでいるのである。
【００３４】
即ち、本発明によれば、前記拡散防止板２１を、２枚の有孔板を水平方向に向けて上下に重ねて構成し、前記上側メッシュ板２３の孔２３ａの孔径を、前記下側パンチングメタル２５の孔２５ａの孔径よりも小さく形成することにより、消火薬剤の表面張力を利用することで拡散防止板２１における透過性、滴下性を向上させるとともに、空気の巻き込みを防止することで発泡を防止しているのである。
【００３５】
［実験結果］
次に、本発明の実験結果について、図４を用いてに説明する。
図４は前記電池保管庫１１の最下段に電池保管用パレットを収納し、前記散布ノズル１４から消火薬剤を放射した場合において、異なった条件下における時間経過と電池保管用パレットへの薬剤落下量との関係を表したグラフである。即ち、グラフの立ち上がり角度が大きいほど、単位時間あたりの消火薬剤の散布量が多くなったことを示している。
図４においては、散布ノズル１４の公称散布能力によるグラフを破線Ｌ０で示している。つまり、破線Ｌ０よりも薬剤落下量が多ければ、適切な薬剤散布量が確保できたことを示しており、反対に破線Ｌ０よりも薬剤落下量が少なければ、適切な薬剤散布量が確保できなかったことを示している。
【００３６】
本実験においては、３種類の条件下で行った。即ち、前記拡散防止板２１を配設しない場合（実験例１）、前記拡散防止板２１を配設せずに、前記下側パンチングメタル２５と同一の有孔板のみを拡散防止板２１と同じ場所に配設した場合（実験例２）、前記拡散防止板２１を配設した場合（実験例３）、である。なお、前記上側メッシュ板２３と同一の有孔板のみを拡散防止板２１と同じ場所に配設した場合については、前記の如く消火薬剤の表面張力によって透過性が悪くなり、消火薬剤の滴下がほとんど生じなかったため、実験例としては記載しなかった。
【００３７】
前記実験結果を図４に、実験例１における結果を実線Ｌ１で、実験例２における結果を実線Ｌ２で、実験例３における結果を実線Ｌ３で示す。
実験例１においては、電池保管庫１１の最下段に電池保管用パレットを収納したことによって散布ノズル１４から電池保管用パレットまでの距離が長くなり、電池保管用パレットに散布された単位面積あたりの消火薬剤量が少なくなった。換言すれば散布ノズル１４が消火薬剤を放射状に噴射したことにより、消火薬剤の大部分が電池保管庫１１の左右内側面に噴射されることとなり、図４中実線１に示す如く適切な薬剤散布量が得られなかった（図５（ａ）参照）。
実験例２においては、下側パンチングメタル２５と同一の有孔板だけであったため、該有孔板が前記の如く空気を巻き込んで発泡してしまい、消火薬剤の均一な散布ができず、図４中実線Ｌ２に示す如く適切な薬剤散布量が得られなかった。
【００３８】
実験例３においては、散布ノズル１４から一旦拡散防止板２１に噴射され、透過した消火薬剤が、上下方向に同じ幅で筐体１２の内部を通過したため、消火薬剤が左右内側面に噴射されることがなかった。つまり電池保管用パレットが最下段に収納されていても、図４中実線Ｌ３に示す如く適切な薬剤滴下量を確保することができたのである。
また、前記拡散防止板２１を、２枚の有孔板を水平方向に向けて上下に重ねて構成し、前記上側メッシュ板２３の孔２３ａの孔径を、前記下側パンチングメタル２５の孔２５ａの孔径よりも小さく形成することにより、消火薬剤の表面張力を利用することで拡散防止板２１における透過性、滴下性を向上させるとともに、空気の巻き込みを防止することで発泡を防止することができ、これによって薬剤散布量の低下を防止することができたのである。
【００３９】
本発明によれば上記の如く構成することにより、簡易な構成のためコスト増に繋がらず、保管庫の内部の収納体への薬剤散布を高精度かつ均一に行うことが可能となる。
【００４０】
つまり、本発明に係る薬剤散布方法においては、筐体１２と、前記筐体１２の内側面に水平方向に向けて形成され上下に並設される複数のラック１３・１３・・・と、前記筐体１２の内部における前記複数のラック１３・１３・・・よりも上方に配設され、薬剤を放射状に噴射する散布ノズル１４と、を備える保管庫において、前記筐体１２の内部に前記ラック１３・１３・・・を介して複数収納された収納体に、前記散布ノズル１４から噴射された薬剤を散布する。そして、前記保管庫は、前記散布ノズル１４と前記ラック１３・１３・・・の最上部との間に、複数の孔を開口した平板状の拡散防止板２１を備え、前記散布ノズル１４から噴射した薬剤を、前記拡散防止板２１の前記孔を透過して滴下させるのである。
【００４１】
上記の如く構成することにより、保管庫の内部において、前記収納体が収容される上下位置に関わらず、薬剤の散布効率を均一にすることができる。
即ち、散布ノズル１４が薬剤を放射状に噴射しても、薬剤は一旦拡散防止板２１に噴射され、該拡散防止板２１に開口された孔を透過して下側に滴下する。この場合、拡散防止板２１から滴下する薬剤の各液滴は略直下方へ滴下し、その滴下方向は略平行となる。このため、収納体が上側・下側のどこに収納されていても、同じ面積に適切な薬剤散布量を確保することができるのである。即ち、一旦拡散防止板２１に噴射され、透過した薬剤は、上下方向に同じ幅で筐体１２の内部を通過するため、収納体が収容される上下位置が異なっても、薬剤の量及び面積を一定に保つことができるのである。これにより、簡易な構成のためコスト増に繋がらず、保管庫の内部の収納体への薬剤の散布を高精度かつ均一に行うことが可能となるのである。
【００４２】
また、本発明に係る拡散防止板２１によれは、薬剤の透過性、滴下性を向上させることができる。
具体的には、前記拡散防止板２１を２枚の有孔板を水平方向に配置した状態で上下に重ねて構成し、上側メッシュ板２３の孔径を、下側パンチングメタル２５の孔径よりも小さく形成することにより、上側メッシュ板２３と下側パンチングメタル２５との接触界面における表面張力を利用して上側メッシュ板２３において薬剤が透過しやすくしているのである。つまり、消火薬剤が自己の表面張力によって前記下側パンチングメタル２５の表面上に広がり、前記孔２５ａをつたって透過し、下側に滴下しやすいように構成しているのである。また、上側メッシュ板２３によって空気の巻き込みを防止し、発泡を防ぐことができるのである。
【００４３】
上記の如く、薬剤散布量及び薬剤散布面積を適切に確保することによって散布不良を防止することが可能となるのである。特に電池保管庫１１における消火設備の場合は、防災効果である散布効果を適切に得ることができ、薬剤を均一に散布することができるのである。
また、上記の如く薬剤散布量を適切に調節することができるため、余分な薬剤を使用して保管庫の外に薬剤が飛散する可能性がなく、目的外の場所に薬剤がかかってしまうというような問題を防止することができるのである。
【符号の説明】
【００４４】
１１    電池保管庫
１２    筐体
１３    ラック
１４    散布ノズル
２１    拡散防止板
Ｐ    電池保管用パレット
【図１】
2010284435.tif 000003
【図２】
2010284435.tif 000004
【図３】
2010284435.tif 000005
【図４】
2010284435.tif 000006
【図５】
2010284435.tif 000007